(57)【要約】【課題】挿入部の所定の装着位置にカメラモジュールを確実に保持できるカメラモジュール用コネクタの提供。【解決手段】カメラモジュール２１が挿入される挿入部２を有するハウジング１と、このハウジング１の挿入部２に挿入されたカメラモジュール２１の外部接続部２１ａとそれぞれ接続可能な端子部材３とを備えると共に、挿入部２に挿入されたカメラモジュール２１の、端子部材３から離脱する方向への動きを規制する規制部材７を備えた。この規制部材７をハウジング１に回動可能に支持させてある。【選択図】図６
2006128785.tif 000002
【特許請求の範囲】
【請求項１】
カメラモジュールが挿入される挿入部を有するハウジングと、このハウジングの上記挿入部に挿入された上記カメラモジュールの外部接続部とそれぞれ接続可能な端子部材とを備えると共に、
上記挿入部に挿入された上記カメラモジュールの、上記端子部材から離脱する方向への動きを規制する規制部材を備えたことを特徴とするカメラモジュール用コネクタ。
【請求項２】
上記請求項１記載の発明において、
上記規制部材を上記ハウジングに回動可能に支持させると共に、この規制部材を、上記挿入部に挿入された上記カメラモジュールの、上記端子部材から離脱する方向への動きを規制する規制位置と、上記カメラモジュールの上記挿入部からの取出しを可能にさせる規制解除位置との間で変位可能に設けたことを特徴とするカメラモジュール用コネクタ。
【請求項３】
上記請求項２記載の発明において、
上記規制位置で上記規制部材をロックするロック手段を備えたことを特徴とするカメラモジュール用コネクタ。
【請求項４】
上記請求項３記載の発明において、
上記ロック手段は、上記規制部材を上方向への回動不能に係止する第１係止部と、上記規制部材を上記規制解除位置方向への移動不能に係止する第２係止部とを含むことを特徴とするカメラモジュール用コネクタ。
【請求項５】
上記請求項２〜４のいずれか１項記載の発明において、
上記規制部材は、上記規制解除位置における上記カメラモジュールとの当接を回避する逃げ部を有することを特徴とするカメラモジュール用コネクタ。
【請求項６】
上記請求項５記載の発明において、
上記挿入部の上方部分を形成する金属製のカバー部材を備え、このカバー部材と上記規制部材とによって、上記挿入部に挿入された上記カメラモジュールをその鏡筒部を残して覆うように、これらのカバー部材と規制部材を配置したことを特徴とするカメラモジュール用コネクタ。
【請求項７】
上記請求項６記載の発明において、
上記カバー部材は、上記端子部材の近傍位置に、上記カメラモジュールの上方向の動きを抑える折曲げ部を有することを特徴とするカメラモジュール用コネクタ。
【発明の詳細な説明】
【技術分野】
【０００１】
本発明は、カメラ付き携帯電話等に装備されるカメラモジュール用コネクタに関する。
【背景技術】
【０００２】
この種の従来技術として、例えば特許文献１に記載の技術がある。この特許文献１には基板上にレンズ及びこのレンズを保持するホルダを搭載したカメラモジュールと、このカメラモジュールが接続されるコネクタとを備え、カメラモジュールに備えられる基板の側端部をコネクタの接続口に差し込むことにより、カメラモジュールをコネクタに接続する構成が開示されている。
【特許文献１】特開２００３−３４８３９５公報
【発明の開示】
【発明が解決しようとする課題】
【０００３】
上述した従来技術では、コネクタの接続口にカメラモジュールに備えられる基板の側端部を単に差し込むことでカメラモジュールをコネクタに接続する構成であるので、差し込まれたカメラモジュールがコネクタから抜けやすい問題がある。すなわち、カメラモジュールは、コネクタに通常差し込まれるメモリカードと比べてレンズ等の部品が実装されていて重いので、コネクタにカメラモジュールが差し込まれた状態にあって振動等が与えられると、そのカメラモジュール自体の重さによって、カメラモジュールがコネクタから離脱しやすい。
【０００４】
本発明は、上述した従来技術における実状からなされたもので、その目的は、挿入部の所定の装着位置にカメラモジュールを確実に保持できるカメラモジュール用コネクタを提供することにある。
【課題を解決するための手段】
【０００５】
上記目的を達成するために、本発明は、カメラモジュールが挿入される挿入部を有するハウジングと、このハウジングの上記挿入部に挿入された上記カメラモジュールの外部接続部とそれぞれ接続可能な端子部材とを備えると共に、上記挿入部に挿入された上記カメラモジュールの、上記端子部材から離脱する方向への動きを規制する規制部材を備えたことを特徴としている。
【０００６】
このように構成した本発明は、ハウジングの挿入部に挿入され、外部接続部が端子部材に接続する所定の装着位置に装着されたカメラモジュールは、規制部材によって端子部材から離脱する方向への動きが規制される。したがって、振動等を受けても所定の装着位置に装着されたカメラモジュールとの間で安定した接続状態を維持できる。
【０００７】
また本発明は、上記発明において、上記規制部材を上記ハウジングに回動可能に支持させると共に、この規制部材を、上記挿入部に挿入された上記カメラモジュールの、上記端子部材から離脱する方向への動きを規制する規制位置と、上記カメラモジュールの上記挿入部からの取出しを可能にさせる規制解除位置との間で変位可能に設けたことを特徴としている。このように構成した本発明は、ハウジングの挿入部にカメラモジュールを挿入した状態にあって、規制部材を規制解除位置から規制位置に変位させる簡単な動作によって、カメラモジュールを所定の装着位置に確実に保持できる。
【０００８】
また本発明は、上記発明において、上記規制位置で上記規制部材をロックするロック手段を備えたことを特徴としている。このように構成した本発明は、ロック手段によって規制部材を動かないようにロックすることで、より確実にカメラモジュールを所定の装着位置に保持できる。
【０００９】
また本発明は、上記発明において、上記ロック手段は、上記規制部材を上方向への回動不能に係止する第１係止部と、上記規制部材を上記規制解除位置方向への移動不能に係止する第２係止部とを含むことを特徴としている。このように構成した本発明は、所定の装着位置にカメラモジュールが保持され、規制部材によってカメラモジュールの動きが規制されている状態にあって、第１係止部と第２係止部とによって、規制部材の前後方向の動きと回動とを確実に阻止できる。
【００１０】
また本発明は、上記発明において、上記規制部材は、上記規制解除位置における上記カメラモジュールとの当接を回避する逃げ部を有することを特徴としている。このように構成した本発明は、規制解除位置にあっては規制部材の逃げ部によってカメラモジュールが規制部材に当接することが回避されるので、カメラモジュールを容易に取出すことができる。
【００１１】
また本発明は、上記発明において、上記挿入部の上方部分を形成する金属製のカバー部材を備え、このカバー部材と上記規制部材とによって、上記挿入部に挿入された上記カメラモジュールをその鏡筒部を残して覆うように、これらのカバー部材と規制部材を配置したことを特徴としている。このように構成した本発明は、金属製のカバー部材によって挿入部の内部を、部品点数を増加することなくシールドでき、ノイズの発生を抑えることができる。
【００１２】
また本発明は、上記発明において、上記カバー部材は、上記端子部材の近傍位置に、上記カメラモジュールの上方向の動きを抑える折曲げ部を有することを特徴としている。このように構成した本発明は、カバー部材の折曲げ部によって所定の装着位置に装着されたカメラモジュールの上方向の動きが抑えられ、カメラモジュールをより安定して保持できる。
【発明の効果】
【００１３】
本発明は、規制部材によってカメラモジュールをハウジングの挿入部内の所定の装着位置に確実に保持でき、この所定の装着位置における接続端子とカメラモジュールの外部接続部との安定した接続状態を維持でき、長期間にわたってカメラモジュールとの間に優れた信号送受信機能を確保できる。
【発明を実施するための最良の形態】
【００１４】
以下，本発明に係るカメラモジュール用コネクタを実施するための最良の形態を図に基づいて説明する。
【００１５】
［本実施形態の構成］
図１は本発明に係るカメラモジュール用コネクタの一実施形態を示す図で、（ａ）図は平面図、（ｂ）図は左側面図、（ｃ）図は右側面図、（ｄ）図は正面図である。図２，３は図１の要部を拡大して示した図で、図２の（ａ）図は図１の（ｂ）図の要部拡大図、図２の（ｂ）図は図１の（ａ）図の左側縁部の要部拡大図、図３の（ａ）図は図１の（ａ）図の右側縁部の要部拡大図、図３の（ｂ）図は図１の（ｃ）図の要部拡大図である。図４はカメラモジュールが挿入される直前の状態を示す図で、（ａ）は平面図、（ｂ）は左側面図、（ｃ）図は右側面図、（ｄ）図は正面図である。
【００１６】
これらの図、例えば図１に示すように、本実施形態は本体を形成するハウジング１を備え、このハウジング１の内部には後述のカメラモジュール２１が挿入される挿入部２を形成してある。ハウジング１の奥側には後述のカメラモジュール２１の外部接続部２１ａとそれぞれ接続可能な端子部材３を設けてある。挿入部２の上方部分を形成する金属製のカバー部材４を設けてあり、このカバー部材４には後述のカメラモジュール２１の鏡筒部２２の外周に沿う円弧形状の切欠き部５を形成してある。また、このカバー部材４には、後述のカメラモジュール２１の上方向の動きを抑える折曲げ部６を形成してある。この折曲げ部６は、端子部材３の近傍位置に設けてあり、挿入部２内の下方に向って折曲げ形成してある。
【００１７】
本実施形態は特に、挿入部２に挿入された後述のカメラモジュール２１の、端子部材３から離脱する方向への動き、すなわち図１の（ａ）図の矢印２３方向への動きを規制する例えば金属製の規制部材７を備えている。この規制部材７の両側面のそれぞれには、図２の（ａ）（ｂ）図、あるいは図３の（ａ）（ｂ）図にも示すように、側面の長手方向に延設される第１長孔１０、第２長孔１１を形成してあり、ハウジング１の両側面に設けた第１軸８、第２軸９のそれぞれが、該当する第１長孔１０、第２長孔１１に挿入されている。これによって規制部材７は、図４の（ｂ）（ｃ）図の矢印１９で示すように、第１軸８、第２軸９を回動中心として回動可能にハウジング１に支持されている。
【００１８】
上述した第１長孔１０と第２長孔１１とによって、規制部材７は、挿入部２に挿入された後述のカメラモジュール２１の、端子部材３から離脱する方向への動きを規制する規制位置と、カメラモジュール２１の挿入部２からの取出しを可能にさせる規制解除位置との間で変位可能になっている。図１は、規制部材７が規制解除位置に位置している状態を示している。この状態から図１の（ａ）図の矢印２３と反対方向に規制部材７が押し込まれ、第１軸８、第２軸９のそれぞれが、例えば第１長孔１０、第２長孔１１の図１の（ｂ）（ｃ）図の上方に描かれた端縁部に接触するまでこの規制部材７が変位したとき、規制部材７は上述の規制位置に至るようになっている。
【００１９】
また、規制部材７には、カバー部材４の切欠き部５と対称となるように、後述のカメラモジュール２１の外周に沿う円弧形状の逃げ部１８を形成してある。例えば、カバー部材４の上面と規制部材７の上面とがほぼ同一平面に位置するように設定してあり、このカバー部材４と規制部材７とによって、挿入部２に挿入された後述のカメラモジュール２１をその鏡筒部２２を残して覆うように、これらのカバー部材４と規制部材７とを配置してある。
【００２０】
さらに本実施形態は、ハウジング１の両側面にそれぞれ設けられ、上述の規制位置で規制部材７を上方向の回動不能に係止する第１係止部、例えば第１突起１２、第２突起１３を備えている。これに関連させて規制部材７の両側面には、第１突起１２、第２突起１３がそれぞれ挿入可能な第１溝１４、第２溝１５を形成させてある。
【００２１】
また本実施形態は、ハウジング１の両側面にそれぞれ設けられ、上述の規制位置で規制部材７を規制解除位置方向への移動不能に係止する第２係止部、例えば第１突出部１６、第２突出部１７を備えている。これらの第１突出部１６、第２突出部１７のそれぞれは、上述した規制部材７の両側面に形成した第１長孔１０、第２長孔１１の該当するものに挿入可能になっている。図２の（ｂ）図、及び図３の（ａ）図に示すように、第１突出部１６、第２突出部１７のそれぞれは、第１軸８、第２軸９に接近する側にテーパ部１６ａ，１７ａを備えている。
【００２２】
上述した第１係止部を構成する第１突起１２、第２突起１３と、第１溝１４、第２溝１５、及び第２係止部を構成する第１突出部１６、第２突出部１７と、第１長孔１０、第２長孔１１によって、上述の規制位置で規制部材７をロックするロック手段が構成されている。
【００２３】
［本実施形態の動作］
図５は図４に示す状態においてカメラモジュールが挿入された状態を示す図で、（ａ）図は平面図、（ｂ）図は左側面図、（ｃ）図は右側面図、（ｄ）図は正面図である。図６はカメラモジュールが所定の装着位置まで挿入され、規制部材を規制位置まで変位させた状態を示す図で、（ａ）図は平面図、（ｂ）図は左側面図、（ｃ）図は右側面図、（ｄ）図は正面図、（ｅ）図は（ａ）図のＡ−Ａ断面図である。図７は図６の要部を拡大して示した図で、（ａ）図は図６の（ｂ）図の要部拡大図、（ｂ）図は図６の（ｃ）図の要部拡大図である。
【００２４】
上述のように構成した本実施形態にカメラモジュール２１を接続する際には、図１に示すように規制解除位置に位置している規制部材７を、図４の（ｂ）（ｃ）図の矢印１９で示すように上方向に回動させることが行われる。
【００２５】
この状態において、図５に示すように、カメラモジュール２１をハウジング１の挿入部２に挿入し、さらに所定の装着位置まで押し込むことが行われる。
【００２６】
ここで、同図５の（ｂ）（ｃ）図の矢印２０で示すように、規制部材７を下方に回動させ、規制部材７の上面とカバー部材４の上面がほぼ同一面となった時点で、規制部材７を装置の奥側方向に、すなわち同図５の（ａ）図の矢印２４方向に押し込むことが行われる。これにより図６に示すように、カメラモジュール２１が所定の装着位置に配置された状態で、規制部材７がカメラモジュール２１の、端子部材３から離脱する方向への動きを規制する規制位置に至る。
【００２７】
この間、図６の（ｂ）（ｃ）図、すなわち図７の（ａ）（ｂ）図に示すように、規制部材７の規制位置方向への移動により、規制部材７の第１溝１４、第２溝１５内に、ハウジング１に設けた第１突起１２、第２突起１３の該当するものがそれぞれ相対的に挿入される。また、規制部材７の両側面の端部が、ハウジング１に設けた第１突出部１６のテーパ部１６ａ、第２突出部１７のテーパ部１７ａを乗り上げ、第１突出部１６、第２突出部１７のそれぞれは、規制部材７の第１長孔１０、第２長孔１１に相対的に挿入される。
【００２８】
このようにして図６に示すように、カメラモジュール２１は規制部材７によって所定の装着位置に保持される状態となる。この所定の装着位置にカメラモジュール２１が保持されている状態においては、図６の（ｅ）図に示すように、ハウジング１に設けた端子部材３のそれぞれとカメラモジュール２１の外部接続部２１ａのそれぞれとが接続され、カメラモジュール２１と本実施形態のコネクタとの間の信号の送受信が可能となる。
【００２９】
また、図６の（ａ）図に示すように、カメラモジュール２１の鏡筒部２２が、カバー部材４の切欠き部５と規制部材７の逃げ部１８とによって形成される円孔から上方に突出した状態となる。すなわち、鏡筒部２２を除いたカメラモジュール２１の部分は、カバー部材４と規制部材７とによって覆われた状態となる。
【００３０】
また、挿入部２内のカメラモジュール２１は、図６の（ｅ）図に示すように、カバー部材４に形成した折曲げ部６によって上方向の動きが抑えられる。
【００３１】
また、図７の（ａ）（ｂ）図に示すように、規制部材７の上方向の回動は、ハウジング１の第１突起１２、第２突起１３のそれぞれが規制部材７の第１溝１４の縁部１４ａ、第２溝１５の縁部１５ａに係合することにより阻止される。
【００３２】
さらに、規制部材７の規制解除位置方向への移動は、同図７の（ａ）（ｂ）に示すように、ハウジング１の第１突出部１６、第２突出部１７のそれぞれの端部１６ｂ，１７ｂに第１長孔１０、第２長孔１１の端縁部が係合することにより阻止される。
【００３３】
なお、何らかの理由により図６に示す状態に保持されているカメラモジュール２１を取出す必要が生じた場合には、規制部材７の両側面を広げて規制部材７の第１長孔１０、第２長孔１１と、第１突出部１６、第２突出部１７との係合をそれぞれ解いた状態で、規制部材７を規制解除位置まで移動させることが行われる。これによって、第１突起１２、第２突起１３と、第１溝１４、第２溝１５との係合も解かれる。この状態にあっては、規制部材７の逃げ部１８がカメラモジュール２１の鏡筒部２２から離隔するので、規制部材７の上方向への回動が可能となる。したがって、図５に示すような状態まで規制部材７を回動させた後、カメラモジュール２１を取出せばよい。
【００３４】
［本実施形態の効果］
以上のように構成した本実施形態によれば、図６に示すように、ハウジング１の挿入部２に挿入され、外部接続部２１ａが端子部材３に接続する所定の装着位置に装着されたカメラモジュール２１は、規制部材７によって端子部材３から離脱する方向の動きが規制される。したがって、振動等を受けても所定の装着位置に装着されたカメラモジュール２１との間で安定した接続状態を維持できる。すなわち、所定の装着位置における接続端子３とカメラモジュール２１の外部接続部２１ａとの安定した接続を維持でき、長期間にわたってカメラモジュール２１との間に優れた信号送受信機能を確保できる。
【００３５】
また、ハウジング１の挿入部２にカメラモジュール２１を挿入した状態にあって、規制部材７を図５に示す規制解除位置から図６に示す規制位置に変位させる簡単な動作によって、カメラモジュール２１を所定の装着位置に確実に保持できる。
【００３６】
また、第１突起１２、第２突起１３、第１突出部１６、第２突出部１７等のロック手段によって、規制位置に位置する規制部材７を動かないようにロックすることができ、すなわち、規制部材７の前後方向の動きと回動を確実に阻止することができ、より確実にカメラモジュール２１を所定の装着位置に保持できる。
【００３７】
また、図６に示すように所定の装着位置に装着されているカメラモジュール２１を取出す場合には、規制部材７を規制解除位置まで移動させることにより、上述したように規制部材７の逃げ部１８をカメラモジュール２１の鏡筒部２２から離隔させることができる。すなわち、カメラモジュール２１が規制部材７に当接することが回避される。これによって、カメラモジュール２１を容易に取出すことができる。
【００３８】
また、金属製のカバー部材１４と、金属製の規制部材７とによって、所定の装着位置に装着されたカメラモジュール２１の鏡筒部２２を除く部分を覆うようにしてあることから、挿入部２の内部を部品点数を増加することなくシールドでき、ノイズの発生を抑えることができる。これにより、メラモジュール２１との間の精度の高い信号送受信機能を確保できる。
【００３９】
また、規制部材７の折曲げ部６によって、所定の装着位置に装着されたカメラモジュール２１の上方向の動きが抑えられ、カメラモジュール２１をガタを生じることなく、より安定して保持できる。
【図面の簡単な説明】
【００４０】
【図１】本発明に係るカメラモジュール用コネクタの一実施形態を示す図で、（ａ）図は平面図、（ｂ）図は左側面図、（ｃ）図は右側面図、（ｄ）図は正面図である。
【図２】図１の要部を拡大して示した図で、（ａ）図は図１の（ｂ）図の要部拡大図、（ｂ）図は図１の（ａ）図の左側縁部の要部拡大図である。
【図３】図１の要部を拡大して示した図で、（ａ）図は図１の（ａ）図の右側縁部の要部拡大図、（ｂ）図は図１の（ｃ）図の要部拡大図である。
【図４】カメラモジュールが挿入される直前の状態を示す図で、（ａ）は平面図、（ｂ）は左側面図、（ｃ）図は右側面図、（ｄ）図は正面図である。
【図５】図４に示す状態においてカメラモジュールが挿入された状態を示す図で、（ａ）図は平面図、（ｂ）図は左側面図、（ｃ）図は右側面図、（ｄ）図は正面図である。
【図６】カメラモジュールが所定の装着位置まで挿入され、規制部材を規制位置まで変位させた状態を示す図で、（ａ）図は平面図、（ｂ）図は左側面図、（ｃ）図は右側面図、（ｄ）図は正面図、（ｅ）図は（ａ）図のＡ−Ａ断面図である。
【図７】図６の要部を拡大して示した図で、（ａ）図は図６の（ｂ）図の要部拡大図、（ｂ）図は図６の（ｃ）図の要部拡大図である。
【符号の説明】
【００４１】
１    ハウジング
２    挿入部
３    端子部材
４    カバー部材
５    切欠き部
６    折曲げ部
７    規制部材
８    第１軸
９    第２軸
１０    第１長孔（ロック手段）
１１    第２長孔（ロック手段）
１２    第１突起（第１係止部）〔ロック手段〕
１３    第２突起（第１係止部）〔ロック手段〕
１４    第１溝（ロック手段）
１４ａ  縁部
１５    第２溝（ロック手段）
１５ａ  縁部
１６    第１突出部（第２係止部）〔ロック手段〕
１６ａ  テーパ部
１６ｂ  端部
１７    第２突出部（第２係止部）〔ロック手段〕
１７ａ  テーパ部
１７ｂ  端部
１８    逃げ部
１９    矢印
２０    矢印
２１    カメラモジュール
２１ａ  外部接続部
２２    鏡筒部
２３    矢印
２４    矢印
【図１】
2006128785.tif 000003
【図２】
2006128785.tif 000004
【図３】
2006128785.tif 000005
【図４】
2006128785.tif 000006
【図５】
2006128785.tif 000007
【図６】
2006128785.tif 000008
【図７】
2006128785.tif 000009